(57)【要約】【課題】テザリング機能を有する通信端末に対するＷＬＡＮ接続情報の設定を容易化する。【解決手段】通信端末１００は、充電器２００を用いて充電可能なバッテリ１５０と、ＷＷＡＮ通信部１１０と、ＷＬＡＮ通信を行うＷＬＡＮ通信部１２０と、充電器２００との通信を行うＮＦＣ部１３０と、ＷＬＡＮとの接続に用いるＷＬＡＮ接続情報を充電器２００からＮＦＣ部１３０が受信した場合、受信したＷＬＡＮ接続情報をＷＬＡＮ通信部１２０に対して設定する制御部１８０とを備える。【選択図】図２
2020195120.tif 000002
【特許請求の範囲】
【請求項１】
充電器を用いて充電可能なバッテリにより駆動される通信端末であって、
ＷＷＡＮ通信を行う第１通信部と、
ＷＬＡＮ通信を行う第２通信部と、
前記充電器との通信を行う第３通信部と、
ＷＬＡＮとの接続に用いるＷＬＡＮ接続情報を前記充電器から前記第３通信部が受信した場合、前記受信したＷＬＡＮ接続情報を前記第２通信部に対して設定する制御部と、を備える
通信端末。
【請求項２】
前記制御部は、ＷＷＡＮとＷＬＡＮとの間の通信を前記第１及び第２通信部により中継するテザリング機能がオフであるときに、前記ＷＬＡＮ接続情報を前記充電器から前記第３通信部が受信した場合、前記受信したＷＬＡＮ接続情報を前記第２通信部に対して設定するとともに、前記テザリング機能をオンにする
請求項１に記載の通信端末。
【請求項３】
前記制御部は、前記バッテリが充電中の状態である充電状態にあるか否かを検知し、
前記制御部は、前記テザリング機能がオフであるときに、前記ＷＬＡＮ接続情報を前記充電器から前記第３通信部が受信し、且つ、前記充電状態にあることを検知した場合、前記受信したＷＬＡＮ接続情報を前記第２通信部に対して設定するとともに、前記テザリング機能をオンにする
請求項２に記載の通信端末。
【請求項４】
前記制御部は、前記テザリング機能をオンにした後、前記充電状態が終了したことを検知した場合、前記テザリング機能をオフにする
請求項３に記載の通信端末。
【請求項５】
前記制御部は、前記テザリング機能をオンにした後、前記充電状態が終了したことを検知した場合、前記テザリング機能をオフにするとともに、前記第２通信部に対する前記ＷＬＡＮ接続情報の設定を解除する
請求項４に記載の通信端末。
【請求項６】
前記充電器から無線で供給される電力を受ける無線受電部をさらに備え、
前記第３通信部は、前記充電器とのＮＦＣ通信を行うＮＦＣ部である
請求項１乃至５のいずれか１項に記載の通信端末。
【請求項７】
通信端末のバッテリを充電するための充電器であって、
前記通信端末に他の通信端末が接続するために用いるＷＬＡＮ接続情報の入力を受け付ける入力部と、
前記通信端末に電力を供給する給電部と、
前記入力部に入力された前記ＷＬＡＮ接続情報を、前記給電部から電力の供給を受ける前記通信端末に対して送信する通信部と、を備える
充電器。
【請求項８】
前記入力部に入力された前記ＷＬＡＮ接続情報を表示する表示部をさらに備える
請求項７に記載の充電器。
【請求項９】
前記給電部は、前記通信端末に対して無線で電力を供給する無線給電部であり、
前記通信部は、前記通信端末とのＮＦＣ通信を行うＮＦＣ部である
請求項７又は８に記載の充電器。
【請求項１０】
ＷＷＡＮ通信を行う第１通信部と、ＷＬＡＮ通信を行う第２通信部と、充電器との通信を行う第３通信部と、を備え、前記充電器を用いて充電可能なバッテリにより駆動される通信端末に、
ＷＬＡＮとの接続に用いるＷＬＡＮ接続情報を前記充電器から前記第３通信部が受信した場合、前記受信したＷＬＡＮ接続情報を前記第２通信部に対して設定する処理を実行させる
プログラム。
【発明の詳細な説明】
【技術分野】
【０００１】
本発明は、通信端末、充電器、及びプログラムに関する。
【背景技術】
【０００２】
近年、通信ネットワークとのＷＷＡＮ（Ｗｉｒｅｌｅｓｓ  Ｗｉｄｅ  Ａｒｅａ  Ｎｅｔｗｏｒｋ）通信を行うＷＷＡＮ通信部とＷＬＡＮ（Ｗｉｒｅｌｅｓｓ  Ｌｏｃａｌ  Ａｒｅａ  Ｎｅｔｗｏｒｋ）通信を行うＷＬＡＮ通信部とを備える通信端末が普及している。
【０００３】
このような通信端末がＷＬＡＮのアクセスポイントとして振る舞い、通信端末に接続した外部機器と通信ネットワークとの間の通信をＷＷＡＮ通信部及びＷＬＡＮ通信部により中継するテザリング機能が知られている。このテザリング機能は、Ｗｉ−Ｆｉ（登録商標。以下同じ）テザリングと呼ばれることがある。ＷＷＡＮ通信部を有しない外部機器は、テザリング機能を有する通信端末を介して通信ネットワークとの通信を行うことができる。
【０００４】
テザリング機能を有する通信端末、すなわち、ＷＷＡＮ通信部及びＷＬＡＮ通信部の両方を備える通信端末に対して外部機器が初回接続する際に、ユーザは、ネットワーク名（例えば、ＳＳＩＤ（Ｓｅｒｖｉｃｅ  Ｓｅｔ  Ｉｄｅｎｔｉｆｉｅｒ））やパスワード等のＷＬＡＮ接続情報を外部機器に設定することが必要とされる。
【０００５】
特許文献１には、ＮＦＣ（Ｎｅａｒ  Ｆｉｅｌｄ  Ｃｏｍｍｕｎｉｃａｔｉｏｎ）通信を用いて、テザリング機能を有する通信端末から外部機器にＷＬＡＮ接続情報を提供することにより、このＷＬＡＮ接続情報を用いて外部機器が通信端末に接続可能とする技術が記載されている。
【先行技術文献】
【特許文献】
【０００６】
【特許文献１】特開２０１７−６３５０９号公報
【発明の概要】
【発明が解決しようとする課題】
【０００７】
ユーザは、例えば自身が覚えやすいＷＬＡＮ接続情報又は所定の規則に従ったＷＬＡＮ接続情報を設定したい場合、テザリング機能を有する通信端末に対してＷＬＡＮ接続情報を設定することが必要とされる。
【０００８】
しかしながら、特許文献１に記載の技術は、外部機器に対するＷＬＡＮ接続情報の設定を容易化しうるものの、テザリング機能を有する通信端末に対するＷＬＡＮ接続情報の設定を容易化できないという問題がある。
【０００９】
そこで、本発明は、テザリング機能を有する通信端末に対するＷＬＡＮ接続情報の設定を容易化する通信端末、充電器、及びプログラムを提供することを目的とする。
【課題を解決するための手段】
【００１０】
第１の態様に係る通信端末は、充電器を用いて充電可能なバッテリにより駆動される通信端末であって、ＷＷＡＮ通信を行う第１通信部と、ＷＬＡＮ通信を行う第２通信部と、前記充電器との通信を行う第３通信部と、ＷＬＡＮとの接続に用いるＷＬＡＮ接続情報を前記充電器から前記第３通信部が受信した場合、前記受信したＷＬＡＮ接続情報を前記第２通信部に対して設定する制御部とを備える。
【００１１】
第２の態様に係る充電器は、通信端末のバッテリを充電するための充電器であって、前記通信端末に他の通信端末が接続するために用いるＷＬＡＮ接続情報の入力を受け付ける入力部と、前記通信端末に電力を供給する給電部と、前記入力部に入力された前記ＷＬＡＮ接続情報を、前記給電部から電力の供給を受ける前記通信端末に対して送信する通信部とを備える。
【００１２】
第３の態様に係るプログラムは、ＷＷＡＮ通信を行う第１通信部と、ＷＬＡＮ通信を行う第２通信部と、充電器との通信を行う第３通信部と、を備え、前記充電器を用いて充電可能なバッテリにより駆動される通信端末に、ＷＬＡＮとの接続に用いるＷＬＡＮ接続情報を前記充電器から前記第３通信部が受信した場合、前記受信したＷＬＡＮ接続情報を前記第２通信部に対して設定する処理を実行させる。
【発明の効果】
【００１３】
本発明の一態様によれば、テザリング機能を有する通信端末に対するＷＬＡＮ接続情報の設定を容易化する通信端末、充電器、及びプログラムを提供できる。
【図面の簡単な説明】
【００１４】
【図１】一実施形態に係る通信システムの構成を示す図である。
【図２】一実施形態に係る通信端末の構成を示す図である。
【図３】従来のＷＬＡＮ接続情報の設定画面の一例を示す図である。
【図４】一実施形態に係る充電器の構成を示す図である。
【図５】一実施形態に係る充電器の外観を示す図である。
【図６】一実施形態に係る充電器に通信端末が設置された状態を示す図である。
【図７】一実施形態に係る通信端末の構成を示す図である。
【発明を実施するための形態】
【００１５】
図面を参照して実施形態について説明する。図面の記載において、同一又は類似の部分には同一又は類似の符号を付している。
【００１６】
（通信システム）
まず、一実施形態に係る通信システムの構成について説明する。図１は、一実施形態に係る通信システム１の構成を示す図である。
【００１７】
図１に示すように、通信システム１は、通信端末１００と、充電器２００と、外部機器３００と、通信ネットワーク４００とを有する。
【００１８】
通信端末１００は、ＷＷＡＮ通信及びＷＬＡＮ通信の両方に対応した端末である。通信端末１００は、自身がＷＬＡＮのアクセスポイントとして振る舞い、外部機器３００と通信ネットワーク４００との間の通信を中継するテザリング機能を有する。通信端末１００は、充電器２００を用いて充電可能なバッテリにより駆動される。
【００１９】
通信端末１００は、ＷＷＡＮ通信及びＷＬＡＮ通信の両方に対応した端末であればどのような端末であってもよいが、例えば、スマートフォン、タブレット端末、ノートＰＣ、又は車載端末等である。以下において、通信端末１００がスマートフォンである一例について主として説明する。
【００２０】
ＷＷＡＮ通信の方式は、特に限定されるものではないが、例えば、３ＧＰＰ（Ｔｈｉｒｄ  Ｇｅｎｅｒａｔｉｏｎ  Ｐａｒｔｎｅｒｓｈｉｐ  Ｐｒｏｊｅｃｔ）規格に基づくセルラ通信方式を利用できる。ＷＬＡＮ通信の方式は、特に限定されるものではないが、例えば、ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）８０２．１１諸規格に準拠した方式を利用できる。
【００２１】
充電器２００は、通信端末１００のバッテリを充電する機器である。充電器２００は、商用交流電源又は分散電源等の電源５００からの電力を変換したうえで通信端末１００に供給する。充電器２００は、通信端末１００に対して有線で電力を供給するケーブル式又はスタンド式のものであってもよいし、通信端末１００に対して無線で電力を供給（すなわち、無線給電）するものであってもよい。以下において、充電器２００が通信端末１００に対して無線給電を行う一例について主として説明する。
【００２２】
充電器２００は、通信端末１００との通信を行う機能を有する。以下において、充電器２００と通信端末１００との間の通信がＮＦＣにより行われる一例について主として説明する。但し、充電器２００と通信端末１００との間の通信はＮＦＣに限定されるものではなく、例えば、ＵＳＢ（Ｕｎｉｖｅｒｓａｌ  Ｓｅｒｉａｌ  Ｂｕｓ）通信、ブルートゥース（登録商標）通信、又は赤外線通信等であってもよい。
【００２３】
外部機器３００は、ＷＷＡＮ通信に対応しておらず、ＷＬＡＮ通信に対応した機器である。外部機器３００は、テザリング機能を有する通信端末１００にＷＬＡＮ通信により接続し、通信端末１００を介して通信ネットワーク４００との通信を行う。外部機器３００は、ＷＬＡＮ通信に対応した機器であればどのような機器であってもよいが、例えば、タブレット端末、ノートＰＣ、又はゲーム機、ウェアラブル端末等である。
【００２４】
通信ネットワーク４００は、ＷＡＮを構成する。通信ネットワーク４００は、通信端末１００とのＷＷＡＮ通信を行う基地局４１０を有する。通信ネットワーク４００には、インターネットが含まれてもよい。
【００２５】
（通信端末の構成）
次に、一実施形態に係る通信端末１００の構成について説明する。図２は、一実施形態に係る通信端末１００の構成を示す図である。
【００２６】
図２に示すように、通信端末１００は、ＷＷＡＮ通信部１１０と、ＷＬＡＮ通信部１２０と、ＮＦＣ部１３０と、無線受電部１４０と、バッテリ１５０と、ユーザインターフェイス１６０と、記憶部１７０と、制御部１８０とを有する。
【００２７】
ＷＷＡＮ通信部１１０は、ＷＷＡＮ通信を行う第１通信部を構成する。ＷＷＡＮ通信部１１０は、アンテナ１１１が受信したＷＷＡＮ無線信号に対して増幅処理及びフィルタ処理等を行い、ＷＷＡＮ無線信号をベースバンド信号に変換し、復調・復号等の信号処理後の受信信号を制御部１８０に出力する。また、ＷＷＡＮ通信部１１０は、制御部１８０から出力された送信信号に対して符号化・変調等の信号処理を行い、信号処理後のベースバンド信号をＷＷＡＮ無線信号に変換し、増幅処理等を行ってアンテナ１１１から送信する。
【００２８】
ＷＬＡＮ通信部１２０は、ＷＬＡＮ通信を行う第２通信部を構成する。ＷＬＡＮ通信部１２０は、アンテナ１２１が受信したＷＬＡＮ無線信号に対して増幅処理及びフィルタ処理等を行い、ＷＬＡＮ無線信号をベースバンド信号に変換し、復調・復号等の信号処理後の受信信号を制御部１８０に出力する。また、ＷＬＡＮ通信部１２０は、制御部１８０から出力された送信信号に対して符号化・変調等の信号処理を行い、信号処理後のベースバンド信号をＷＬＡＮ無線信号に変換し、増幅処理等を行ってアンテナ１２１から送信する。
【００２９】
ＮＦＣ部１３０は、充電器２００との通信を行う第３通信部を構成する。ＮＦＣ部１３０は、ＮＦＣリーダであってもよい。ＮＦＣ部１３０は、アンテナ１３１を介してＮＦＣによる通信を充電器２００と行うことにより、ＷＬＡＮ通信部１２０に外部機器３００が接続するために用いるＷＬＡＮ接続情報を充電器２００から受信し、受信したＷＬＡＮ接続情報を制御部１８０に出力する。ＷＬＡＮ接続情報は、ネットワーク名（例えば、ＳＳＩＤ）、パスワード、及びセキュリティ方式のうち少なくとも１つを含む。
【００３０】
なお、従来では、覚えやすいＷＬＡＮ接続情報又は所定の規則に従ったＷＬＡＮ接続情報を設定したい場合、ユーザが通信端末１００に対してＷＬＡＮ接続情報をマニュアル設定することが必要とされる。図３は、従来のＷＬＡＮ接続情報の設定画面の一例を示す図である。図３に示すように、ユーザは、通信端末１００のユーザインターフェイス１６０の入力部１６１を用いてＷＬＡＮ接続情報を入力し、表示部１６２がこのＷＬＡＮ接続情報を表示する。このような設定作業は、通信端末１００の操作に慣れていない人にとっては複雑であり、且つ、入力ミスを引き起こす。
【００３１】
これに対し、ＮＦＣ部１３０が充電器２００からＷＬＡＮ接続情報を受信することにより、ユーザが通信端末１００に対してＷＬＡＮ接続情報をマニュアル設定することが不要になり、ＷＬＡＮ接続情報の設定を容易化できる。
【００３２】
無線受電部１４０は、充電器２００から無線で供給される電力を受け、この電力によりバッテリ１５０を充電する。無線受電部１４０は、受電コイル及び電力変換回路を含んで構成される。このような無線給電の方式としては、例えば、電磁誘導方式、磁界共鳴方式、又は電界結合方式等を利用できる。
【００３３】
バッテリ１５０は、通信端末１００を駆動する電力を蓄える。バッテリ１５０は、無線受電部１４０から出力される電力により充電される。
【００３４】
ユーザインターフェイス１６０は、ユーザ入力を受け付け、その内容に応じた信号を制御部１８０に出力する入力部１６１を含む。また、ユーザインターフェイス１６０は、制御部１８０から出力される信号に基づいて情報を表示する表示部１６２を含む。入力部１６１及び表示部１６２は、タッチパネル式のディスプレイとして一体化されてもよい。
【００３５】
記憶部１７０は、通信端末１００における処理及び制御に用いる情報及びプログラムを記憶する。記憶部１７０は、揮発性メモリ及び不揮発性メモリを含んで構成される。
【００３６】
制御部１８０は、記憶部１７０に記憶されたプログラムを実行することにより各種の処理及び制御を行う。制御部１８０は、少なくとも１つのプロセッサを含んで構成される。
【００３７】
制御部１８０は、ＷＬＡＮ通信部１２０に外部機器３００が接続するために用いるＷＬＡＮ接続情報を充電器２００からＮＦＣ部１３０が受信した場合、ＮＦＣ部１３０が受信したＷＬＡＮ接続情報をＷＬＡＮ通信部１２０に対して設定する。これにより、ＷＬＡＮ接続情報の設定（すなわち、テザリング機能の設定）が自動で行われることになる。
【００３８】
制御部１８０は、テザリング機能がオフであるときに、ＷＬＡＮ接続情報を充電器２００からＮＦＣ部１３０が受信した場合、ＮＦＣ部１３０が受信したＷＬＡＮ接続情報をＷＬＡＮ通信部１２０に対して設定するとともに、テザリング機能をオンにする。これにより、テザリング機能の設定だけではなく、テザリング機能の有効化も自動で行われることになるため、テザリング機能をオンにするユーザ操作も不要にすることができる。
【００３９】
制御部１８０は、バッテリ１５０が充電中の状態である充電状態にあるか否かを検知する。例えば、制御部１８０は、充電器２００から無線受電部１４０が電力を受けている場合は充電状態にあることを検知し、充電器２００から無線受電部１４０が電力を受けていない場合は充電状態にないことを検知する。
【００４０】
制御部１８０は、ＷＬＡＮ接続情報を充電器２００からＮＦＣ部１３０が受信し、且つ、充電状態にあることを検知した場合、ＮＦＣ部１３０が受信したＷＬＡＮ接続情報をＷＬＡＮ通信部１２０に対して設定するとともに、テザリング機能をオンにしてもよい。テザリング機能をオンである場合、ＷＷＡＮ通信部１１０及びＷＬＡＮ通信部１２０を同時に駆動することで消費電力が大きくなる。このため、充電状態にあることを確認したうえでテザリング機能をオンにすることにより、通信端末１００のバッテリ駆動時間が短縮されてしまうことを防止できる。
【００４１】
制御部１８０は、テザリング機能をオンにした後、充電状態が終了したことを検知した場合、テザリング機能をオフにする。これにより、テザリング機能をオフにするユーザ操作を不要にすることができる。
【００４２】
制御部１８０は、テザリング機能をオンにした後、充電状態が終了したことを検知した場合、テザリング機能をオフにするとともに、ＷＬＡＮ通信部１２０に対するＷＬＡＮ接続情報の設定を解除してもよい。これにより、通信端末１００が充電状態にあるときに限り、通信端末１００を所定のＷＬＡＮアクセスポイントとして扱うことが可能になる。
【００４３】
（充電器の構成）
次に、一実施形態に係る充電器２００の構成について説明する。図４は、一実施形態に係る充電器２００の構成を示す図である。
【００４４】
図４に示すように、充電器２００は、無線給電部２１０と、ＮＦＣ部２２０と、ユーザインターフェイス２３０と、記憶部２４０と、制御部２５０とを有する。
【００４５】
無線給電部２１０は、電源５００からの電力を変換したうえで通信端末１００に対して無線で電力を供給する。無線給電部２１０は、送電コイル及び電力変換回路を含んで構成される。
【００４６】
ＮＦＣ部２２０は、通信端末１００との通信を行う通信部を構成する。ＮＦＣ部２２０は、ＮＦＣタグであってもよい。ＮＦＣ部２２０は、アンテナ２２１を介してＮＦＣによる通信を通信端末１００と行うことにより、ＷＬＡＮ通信部１２０に外部機器３００が接続するために用いるＷＬＡＮ接続情報を通信端末１００に送信する。
【００４７】
ユーザインターフェイス２３０は、ユーザ入力を受け付け、その内容に応じた信号を制御部２５０に出力する入力部２３１を含む。入力部２３１は、ＷＬＡＮ接続情報のユーザ入力を受け付ける。
【００４８】
また、ユーザインターフェイス２３０は、制御部２５０から出力される信号に基づいて情報を表示する表示部２３２を含む。表示部２３２は、入力部２３１に入力されたＷＬＡＮ接続情報を表示する。
【００４９】
なお、入力部２３１及び表示部２３２は、タッチパネル式のディスプレイとして一体化されてもよい。
【００５０】
記憶部２４０は、充電器２００における処理及び制御に用いる情報及びプログラムを記憶する。記憶部２４０は、揮発性メモリ及び不揮発性メモリを含んで構成される。
【００５１】
制御部２５０は、記憶部２４０に記憶されたプログラムを実行することにより各種の処理及び制御を行う。制御部２５０は、少なくとも１つのプロセッサを含んで構成される。
【００５２】
制御部２５０は、入力部２３１に入力されたＷＬＡＮ接続情報を送信するようにＮＦＣ部２２０を制御する。ＮＦＣ部２２０がＮＦＣタグである場合、制御部２５０は、入力部２３１に入力されたＷＬＡＮ接続情報をＮＦＣ部２２０（ＮＦＣタグ）に書き込む。
【００５３】
図５は、一実施形態に係る充電器２００の外観を示す図である。
【００５４】
図５に示すように、ＮＦＣ部２２０（ＮＦＣタグ）及びユーザインターフェイス２３０は、充電器２００の上面である設置面（被設置部）２０１に設けられる。ユーザは、充電器２００のユーザインターフェイス２３０（図５の例では、タッチパネル画面）を用いて、ＷＬＡＮ接続情報（Ｗｉ−Ｆｉテザリング設定情報）を入力する。
【００５５】
ＷＬＡＮ接続情報の入力が終わると、充電器２００は、ＮＦＣ部２２０（ＮＦＣタグ）にＷＬＡＮ接続情報を書き込む。充電器２００のユーザインターフェイス２３０は、ＮＦＣ部２２０（ＮＦＣタグ）への書込み処理を実行するための実行開始ボタンを有してもよい。
【００５６】
図６は、一実施形態に係る充電器２００に通信端末１００が設置された状態を示す図である。
【００５７】
図６に示すように、ユーザがＷＬＡＮアクセスポイントにしたい通信端末１００を充電器２００の設置面２０１に設置することで、通信端末１００がＮＦＣリード機能により充電器２００のＮＦＣ部２２０（ＮＦＣタグ）からＷＬＡＮ接続情報を受信する。ここで、充電器２００のＮＦＣ部２２０（ＮＦＣタグ）に通信端末１００を翳すかたちとなる。
【００５８】
そして、通信端末１００にインストールされているアプリケーションにより、このＷＬＡＮ接続情報が通信端末１００のＷＬＡＮ機能へ自動的に設定され、且つ、通信端末１００が充電状態を検知してテザリング機能をオンにする。
【００５９】
このように、テザリング機能を有する通信端末１００を充電器２００に設置するだけで、通信端末１００のテザリング設定が自動的に完了され、通信端末１００を一時的なアクセスポイントとして容易に使用できる。
【００６０】
また、充電器２００へのＷＬＡＮ接続情報の設定は操作に慣れた人が行えばよく、操作に慣れていない人は通信端末１００を充電器２００に設置するだけで、複雑な操作の必要なく通信端末１００でテザリング機能を使用できる。
【００６１】
さらに、ユーザは、ＷＬＡＮ接続情報を充電器２００に一度入力しておけば、その後に様々な通信端末１００が充電器２００に設置されても、ＷＬＡＮ接続情報を通信端末１００にその都度入力する必要がない。
【００６２】
（通信端末の動作）
次に、一実施形態に係る通信端末１００の動作について説明する。図７は、一実施形態に係る通信端末１００の構成を示す図である。
【００６３】
図７に示すように、ステップＳ１において、ＮＦＣ部１３０は、アンテナ１３１を介してＮＦＣによる通信を充電器２００と行うことにより、ＷＬＡＮ通信部１２０に外部機器３００が接続するために用いるＷＬＡＮ接続情報を充電器２００から受信し、受信したＷＬＡＮ接続情報を制御部１８０に出力する。
【００６４】
ステップＳ２において、制御部１８０は、バッテリ１５０が充電中の状態である充電状態にあるか否かを検知する。
【００６５】
充電状態にある場合（ステップＳ２：ＹＥＳ）、ステップＳ３において、制御部１８０は、ＮＦＣ部１３０が受信したＷＬＡＮ接続情報をＷＬＡＮ通信部１２０に対して設定する。また、制御部１８０は、ＷＬＡＮ接続情報をＷＬＡＮ通信部１２０に対して設定するとともに、テザリング機能をオンにする（ステップＳ４）。この状態において、図１に示すように、通信端末１００は、自身がＷＬＡＮのアクセスポイントとして振る舞い、外部機器３００と通信ネットワーク４００との間の通信を中継する。
【００６６】
その後、ステップＳ５において、制御部１８０は、充電状態が終了したか否かを確認する。制御部１８０は、充電状態が終了したことを検知した場合（ステップＳ５：ＹＥＳ）、テザリング機能をオフにする（ステップＳ６）。また、制御部１８０は、テザリング機能をオフにするとともに、ＷＬＡＮ通信部１２０に対するＷＬＡＮ接続情報の設定を解除（クリア）する（ステップＳ７）。
【００６７】
（その他の実施形態）
通信端末１００が行う各処理をコンピュータに実行させるプログラムが提供されてもよい。プログラムは、コンピュータ読取り可能媒体に記録されていてもよい。コンピュータ読取り可能媒体を用いれば、コンピュータにプログラムをインストールすることが可能である。ここで、プログラムが記録されたコンピュータ読取り可能媒体は、非一過性の記録媒体であってもよい。非一過性の記録媒体は、特に限定されるものではないが、例えば、ＣＤ−ＲＯＭやＤＶＤ−ＲＯＭ等の記録媒体であってもよい。また、通信端末１００が行う各処理を実行する機能部（回路）を集積化して半導体集積回路（チップセット、ＳｏＣ）を構成してもよい。
【００６８】
以上、図面を参照して実施形態について詳しく説明したが、具体的な構成は上述のものに限られることはなく、要旨を逸脱しない範囲内において様々な設計変更等をすることが可能である。
【符号の説明】
【００６９】
１      ：通信システム
１００  ：通信端末
１１０  ：ＷＷＡＮ通信部
１１１  ：アンテナ
１２０  ：ＷＬＡＮ通信部
１２１  ：アンテナ
１３０  ：ＮＦＣ部
１３１  ：アンテナ
１４０  ：無線受電部
１５０  ：バッテリ
１６０  ：ユーザインターフェイス
１６１  ：入力部
１６２  ：表示部
１７０  ：記憶部
１８０  ：制御部
２００  ：充電器
２０１  ：設置面
２１０  ：無線給電部
２２０  ：ＮＦＣ部
２２１  ：アンテナ
２３０  ：ユーザインターフェイス
２３１  ：入力部
２３２  ：表示部
２４０  ：記憶部
２５０  ：制御部
３００  ：外部機器
４００  ：通信ネットワーク
４１０  ：基地局
５００  ：電源
【図１】
2020195120.tif 000003
【図２】
2020195120.tif 000004
【図３】
2020195120.tif 000005
【図４】
2020195120.tif 000006
【図５】
2020195120.tif 000007
【図６】
2020195120.tif 000008
【図７】
2020195120.tif 000009